(57)【要約】【課題】振動によってロール紙が外れてしまうことを防止できるロール紙ユニットを提供すること。【解決手段】ロール紙ユニット３はロール紙支軸１４を支持する左側支持フレーム９と右側支持フレーム１０を有する。各支持フレーム９、１０は、軸挿入口２２、２５と、ロール紙支軸１４の被支持部１４ｃを回転可能に支持する軸受部２１、２４と、軸挿入口２２、２５に挿入された被支持部１４ｃを軸受部２１、２４に導く案内溝２３、２６を備える。左側支持フレーム９の左側案内溝２３と右側支持フレーム１０の右側案内溝２６は、プリンター幅方向から見た形状が相違している。振動によってロール紙１１が径方向の一方向に動くと、ロール紙支軸１４の左右の被支持部１４ｃのいずれかと左側案内溝２３の内側壁または右側案内溝２６の内側壁が干渉し、ロール紙１１の脱落を阻止する。【選択図】図３
2014043033.tif 000002
【特許請求の範囲】
【請求項１】
ロール紙の幅方向の両側から突出するロール紙支軸の両端部分を同一の高さ位置で支持する一対の支持フレームを有し、
各支持フレームは、前記ロール紙支軸の端部分を回転可能に支持する軸受部、前記軸受部よりも上側の位置で開口する軸挿入口、および、前記軸挿入口に挿入された前記ロール紙支軸の端部分を前記軸受部に導く案内溝を備え、
前記一対の支持フレームのうちの一方の支持フレームの前記案内溝と他方の支持フレームの前記案内溝とは、前記幅方向から見た形状が相違していることを特徴とするロール紙ユニット。
【請求項２】
請求項１において、
各案内溝は、前記軸挿入口から前記軸受部に至る途中で曲がっていることを特徴とするロール紙ユニット。
【請求項３】
請求項２において、
各案内溝は、直線状に延びている複数の直線溝部分から構成されており、
各直線溝部分は、前記ロール紙支軸の端部分を前記軸挿入口から前記軸受部に向かって案内する案内方向の上流側の端が当該案内方向の下流側の端よりも上方に位置していることを特徴とするロール紙ユニット。
【請求項４】
請求項１ないし３のうちのいずれかの項において、
各案内溝は、前記軸挿入口から前記軸受部に接近するのに伴って、前記幅方向から見た溝幅が狭くなっていることを特徴とするロール紙ユニット。
【請求項５】
請求項１ないし４のうちのいずれかの項において、
前記一方の支持フレームの前記軸挿入口と前記他方の支持フレームの前記軸挿入口とは、前記幅方向から見たときに重なる位置に設けられていることを特徴とするロール紙ユニット。
【請求項６】
請求項５において、
各案内溝は、各軸挿入口の隣接位置に、前記幅方向から見たときに互いに形状と形成位置が一致する溝部分を備えていることを特徴とするロール紙ユニット。
【請求項７】
請求項１ないし６のうちのいずれかの項に記載のロール紙ユニットと、
前記ロール紙ユニットに支持されたロール紙から繰り出される長尺状の記録紙を、印刷位置を経由する搬送経路に沿って搬送する搬送機構と、
前記印刷位置で前記記録紙に印刷を施す印刷ヘッドと、
を有することを特徴とするロール紙プリンター。
【発明の詳細な説明】
【技術分野】
【０００１】
本発明は、ロール紙を転動可能な状態で支持するロール紙ユニットおよび当該ロール紙ユニットを搭載するロール紙プリンターに関する。
【背景技術】
【０００２】
船舶に搭載されて無線通信により受信した航行警報、気象通報、遭難通信等を印刷するプリンターとしては、ロール紙プリンターが用いられる。ロール紙プリンターは、ロール紙から繰り出される長尺状の記録紙を用いて印刷を行うので、不特定のタイミングで発生する通信を長期間に渡って記録することができ、通信履歴を残す用途に適しているからである。
【０００３】
ロール紙プリンターは、印刷ヘッドによる印刷位置に向かってロール紙から記録紙を繰り出すために、ロール紙を転動可能な状態で支持するロール紙ユニットを備えている。特許文献１に記載のロール紙ユニットは、ロール紙の幅方向の両側から突出するロール紙支軸の両端部分を同一の高さ位置で支持する一対の支持フレームを有している。各支持フレームは、軸挿入口と、ロール紙支軸の端部分を回転可能に支持する軸受部と、軸挿入口に挿入されたロール紙支軸の端部分を軸受部に導く案内溝を備えている。特許文献１において、各支持フレームに形成された各案内溝は、軸挿入口から軸受部に至る途中で折れ曲がっている。
【先行技術文献】
【特許文献】
【０００４】
【特許文献１】特開２００７−９９４７１号公報
【発明の概要】
【発明が解決しようとする課題】
【０００５】
船舶は航行中の気象条件によって大きく揺れることがある。ここで、船舶の揺れに伴って船舶に搭載されたロール紙プリンターが振動すると、ロール紙がロール紙ユニットから脱落してしまうことがある。すなわち、支持フレームの軸受部に支持されているロール紙支軸の端部分が、振動によって案内溝に沿って軸挿入口の側に向かって移動してしまい、軸挿入口から外側に飛び出すことがある。
【０００６】
ロール紙がロール紙ユニットから脱落すると、ロール紙から記録紙を正常に繰り出すことができなくなる。また、ロール紙の脱落によって記録紙が破損してしまうこともある。この結果、ロール紙プリンターでは通信記録を印刷することが困難となる。ここで、特許文献１のロール紙ユニットでは、案内溝が軸挿入口から軸受部に至る途中で折れ曲がっているので、ロール紙がロール紙ユニットから外れてしまうことが抑制される。しかし、船舶に搭載する用途を考慮すれば、すなわち、振動が発生し易い環境で使用する用途を考慮すれば、ロール紙がロール紙ユニットから外れてしまうことをより抑制する必要がある。
【０００７】
本発明の課題は、振動によってロール紙が外れてしまうことを抑制或いは防止できるロール紙ユニットおよび当該ロール紙ユニットを搭載するロール紙プリンターを提供することにある。
【課題を解決するための手段】
【０００８】
上記の課題を解決するために、本発明のロール紙ユニットは、ロール紙の幅方向の両側から突出するロール紙支軸の両端部分を同一の高さ位置で支持する一対の支持フレームを有し、各支持フレームは、前記ロール紙支軸の端部分を回転可能に支持する軸受部、前記軸受部よりも上側の位置で開口する軸挿入口、および、前記軸挿入口に挿入された前記ロール紙支軸の端部分を前記軸受部に導く案内溝を備え、前記一対の支持フレームの一方の支持フレームの前記案内溝と他方の支持フレームの前記案内溝とは、前記幅方向から見た形状が相違していることを特徴とする。
【０００９】
本発明によれば、一対の支持フレームの各支持フレームに形成された案内溝の形状が互いに相違している。従って、振動によってロール紙（ロール紙支軸）が径方向の一方向に動いたときに、ロール紙支軸の一方の端部分および他方の端部分のいずれかと当該端部分を支持する支持フレームの案内溝の内側壁とを干渉させることができる。この結果、振動によってロール紙支軸が軸挿入口の側に向かって移動することが阻止されるので、ロール紙がロール紙ユニットから外れてしまうことを抑制或いは防止できる。
【００１０】
本発明において、各案内溝は、前記軸挿入口から前記軸受部に至る途中で曲がっていることが望ましい。このようにすれば、振動によってロール紙支軸が径方向の一方向に動いたときに、ロール紙支軸の一方の端部分および他方の端部分のいずれかと当該端部分を支持する支持フレームの案内溝の内周面とを干渉させて、その軸端部分の移動を阻止することが容易となる。
【００１１】
この場合において、各案内溝は、直線状に延びている複数の直線溝部分から構成されており、各直線溝部分は、前記ロール紙支軸の端部分を前記軸挿入口から前記軸受部に向かって案内する案内方向の上流側の端が当該案内方向の下流側の端よりも上方に位置していることが望ましい。このようにすれば、各支持フレームの軸挿入口にロール紙支軸の端部分を挿入すると、ロール紙の自重によってロール紙支軸の端部分が案内溝に沿って移動して、軸受部に支持された状態とすることが容易となる。
【００１２】
本発明において、各案内溝は、前記軸挿入口から前記軸受部に接近するのに伴って、前記幅方向から見た溝幅が狭くなっていることが望ましい。このようにすれば、振動によってロール紙支軸が径方向の一方向に動いたときに、ロール紙支軸の端部分と案内溝の内周面とを干渉させやすい。
【００１３】
本発明において、前記一方の支持フレームの前記軸挿入口と前記他方の支持フレームの前記軸挿入口とは、前記幅方向から見たときに重なる位置に設けられていることが望ましい。このようにすれば、ロール紙をロール紙ユニットにセットする際に、ロール紙支軸の端部分を各支持フレームの軸挿入口に挿入することが容易となる。
【００１４】
この場合において、各案内溝が、各軸挿入口の隣接位置に、前記幅方向から見たときに互いに形状と形成位置が一致する溝部分を備えている構成を採用できる。このようにすれば、軸挿入口に挿入されたロール紙支軸の端部分が案内溝の側に容易に移動する。
【００１５】
次に、本発明のロール紙プリンターは、上記のロール紙ユニットと、前記ロール紙ユニットに支持されたロール紙から繰り出される長尺状の記録紙を、印刷位置を経由する搬送経路に沿って搬送する搬送機構と、前記印刷位置で前記記録紙に印刷を施す印刷ヘッドと、を有することを特徴とする。
【００１６】
本発明によれば、ロール紙ユニットからロール紙が脱落することが抑制或いは防止されているので、ロール紙プリンターを振動の発生しやすい環境で用いた場合でも、印刷を継続することができる。
【発明の効果】
【００１７】
本発明のロール紙ユニットによれば、振動によってロール紙が脱落することを抑制或いは防止できる。また、本発明のロール紙プリンターによれば、振動の発生しやすい環境で使用した場合でも、ロール紙ユニットからロール紙が脱落することが防止され、印刷を継続することができる。
【図面の簡単な説明】
【００１８】
【図１】本発明を適用したロール紙ユニットを搭載したプリンターの斜視図である。
【図２】プリンターの内部構成を示す概略断面図である。
【図３】ロール紙ユニットの支持フレームの側面図である。
【図４】変形例のロール紙ユニットの支持フレームの側面図である。
【発明を実施するための形態】
【００１９】
以下に、図面を参照して、本発明を適用したロール紙ユニットを備えるロール紙プリンターの実施の形態を説明する。
【００２０】
図１は本実施の形態に係るロール紙プリンターの外観斜視図である。図２はロール紙プリンターの内部構造を示す概略縦断面図である。
【００２１】
ロール紙プリンター１は、直方体形状をしたプリンター本体ユニット２と、このプリンター本体ユニット２におけるプリンター前後方向の後端に取り付けたロール紙ユニット３を備えている。プリンター本体ユニット２は、プリンター筐体４と、この内部に配置されているプリンター機構部５（図２参照）を備えている。プリンター筐体４の上面部分は上方に開口した開口部６となっており、開口部６にはプリンターカバー７が着脱可能な状態で取り付けられている。
【００２２】
ロール紙ユニット３はユニットフレーム８を備えている。ユニットフレーム８は、プリンター幅方向の両側に配置された一対の支持フレーム９、１０を備えており、これら支持フレーム９、１０の間の部分がロール紙１１を収納するロール紙収納部１２となっている。ロール紙収納部１２は、プリンター上方およびプリンター後方に開口している。ロール紙収納部１２のプリンター上方に開口している部分のうち、前側上方に開口している開口部分１２ａは、平板状のユニットカバー１３によって封鎖されている。ユニットカバー１３のプリンター前後方向における前端縁部１３ｂは、プリンターカバー７の後端側の部位７ａによって上側から覆われている。プリンターカバー７を取り外すと、ユニットカバー１３を、その後端縁部１３ａを中心として上方に開くことができる。また、ユニットカバー１３をユニットフレーム８の側から取り外すことができる。
【００２３】
ロール紙１１は、図１に示すように、ロール紙支軸１４に装着されて用いられる。また、ロール紙は、ロール紙支軸１４が一対の支持フレーム９、１０に架け渡された状態でロール紙収納部１２に収納される。ここで、ロール紙支軸１４は、軸線方向の中央部分にロール紙１１が装着される装着部１４ａを備えている。また、ロール紙支軸１４は、ロール紙１１をロール紙支軸１４に装着したときに、ロール紙１１の幅方向の両側から突出する両端の端部分１４ｂに、それぞれ被支持部１４ｃと軸端部１４ｄを備えている。被支持部１４ｃは軸端部１４ｄと装着部１４ａの間に位置しており、被支持部１４ｃの外径寸法は軸端部１４ｄの外径寸法よりも小さい。
【００２４】
図３（ａ）は左側支持フレームをプリンター幅方向の右側から見た側面図であり、図３（ｂ）は右側支持フレームをプリンター幅方向の右側から見た側面図であり、図３（ｃ）は左側支持フレームおよび右側支持フレームをプリンター幅方向の右側から重ねて見た側面図である。一対の支持フレーム９、１０のうち、前方からロール紙プリンター１を見たときに左側に位置する左側支持フレーム９は、ロール紙支軸１４の左側の被支持部１４ｃを回転可能に支持する左側軸受部２１と、左側軸受部２１よりも上側の位置で開口する左側軸挿入口２２と、左側軸挿入口２２に挿入されたロール紙支軸１４の左側の被支持部１４ｃを左側軸受部２１に導く左側案内溝２３を備えている。また、前方からロール紙プリンター１を見たときに右側に位置する右側支持フレーム１０は、ロール紙支軸１４の右側の被支持部１４ｃを回転可能に支持する右側軸受部２４と、右側軸受部２４よりも上側の位置で開口する右側軸挿入口２５と、右側軸挿入口２５に挿入されたロール紙支軸１４の右側の被支持部１４ｃを右側軸受部２４に導く右側案内溝２６を備えている。
【００２５】
左側軸受部２１および右側軸受部２４のそれぞれは、プリンター幅方向に貫通する円形の貫通孔であり、ロール紙支軸１４の被支持部１４ｃの外径寸法に対応する内径寸法を備えている。また、左側軸受部２１および右側軸受部２４のそれぞれは、周方向の一部分が開口して左側案内溝２３或いは右側案内溝２６と連通している。ここで、左側軸受部２１および右側軸受部２４は、プリンター幅方向から見た時に重なる位置に設けられている。従って、左側軸受部２１がロール紙支軸１４の左側の被支持部１４ｃを支持し、右側軸受部２４がロール紙支軸１４の右側の被支持部１４ｃを支持すると、ロール紙支軸１４はその両端の端部分１４ｂが同一の高さ位置で支持された状態となる。また、左側軸受部２１がロール紙支軸１４の左側の被支持部１４ｃを支持し、右側軸受部２４がロール紙支軸１４の右側の被支持部１４ｃを支持すると、ロール紙支軸１４は、後述する搬送経路Ｂと直交した状態となる。
【００２６】
左側軸挿入口２２および右側軸挿入口２５のそれぞれは、各支持フレーム９、１０の上側の縁部分を切り欠いて設けられており、上方に向かって開口している。また、左側軸挿入口２２および右側軸挿入口２５のそれぞれは、左側軸受部２１および右側軸受部２４よりもプリンター後方に位置しており、プリンター幅方向から見た時に、重なる位置に設けられている。すなわち、左側軸挿入口２２と右側軸挿入口２５とは、形状が同一であり、プリンター幅方向から見た時に形成位置が一致している。
【００２７】
左側案内溝２３および右側案内溝２６のそれぞれは、全体として下方に向かって斜め前方に延びており、軸挿入口２２、２５から軸受部２１、２４に至る途中で折れ曲がっている。すなわち、プリンター幅方向から見た各案内溝２３、２６の形状は、軸挿入口２２、２５と軸受部２１、２４の間に折れ曲がり部分を備えている。また、各案内溝２３、２６は、プリンター前後方向の溝幅が、軸挿入口２２、２５から軸受部２１、２４に接近するのに伴って狭くなっている。
【００２８】
ここで、左側案内溝２３と右側案内溝２６とは、プリンター幅方向から見た形状が相違している。より詳細には、左側案内溝２３は、図３（ａ）に示すように、左側軸挿入口２２から下方に延びる左側第１溝部分（直線溝部分）２３ａと、左側第１溝部分２３ａの下端からプリンター前方に向かって下方に延びる左側第２溝部分（直線溝部分）２３ｂと、左側第２溝部分２３ｂの下端から下方に延びる左側第３溝部分（直線溝部分）２３ｃを備えており、左側第３溝部分２３ｃの下端が左側軸受部２１に接続されている。右側案内溝２６は、図３（ｂ）に示すように、右側軸挿入口２５から下方に延びる右側第１溝部分（直線溝部分）２６ａと、右側第１溝部分２６ａの下端からプリンター前方に向かって下方に延びる右側第２溝部分（直線溝部分）２６ｂを備えており、右側第２溝部分２６ｂの下端が右側軸受部２４に接続されている。なお、図３（ｃ）に示すように、プリンター幅方向から見たときに、左側案内溝２３の左側第１溝部分２３ａと右側案内溝２６の右側第１溝部分２６ａは重なっている。すなわち、各案内溝２３、２６において、各軸挿入口２２、２５に隣接する溝部分（左側第１溝部分２３ａおよび右側第１溝部分２６ａ）は、プリンター幅方向から見たときに、互いに形状と形成位置が一致している。
【００２９】
ロール紙１１をロール紙ユニット３にセットする際には、まず、ユーザーは、ロール紙支軸１４の装着部１４ａにロール紙１１を装着する。次に、ユーザーは、プリンター幅方向で各支持フレーム９、１０とロール紙支軸１４の両側の被支持部１４ｃの位置を合わせ、各被支持部１４ｃを軸挿入口２２、２５にそれぞれ挿入する。ここで、ユーザーがロール紙１１から手を離すと、ロール紙１１の自重によってロール紙支軸１４の被支持部１４ｃが各案内溝２３、２６に沿って移動して、各軸受部２１、２４に支持された状態となる。
【００３０】
図２に示すように、ロール紙収納部１２のプリンター前方の側には、ガイド軸３０が配置されている。ガイド軸３０は、支持フレーム９、１０の間において、プリンター幅方向に架け渡されている。ガイド軸３０の両側の軸端部は、支持フレーム９、１０に形成した軸孔３１に沿ってスライド可能である。軸孔３１は略プリンター上下方向に長い長円形の孔であり、図２においては、支持フレーム１０の側に形成されている軸孔３１のみを示す。ガイド軸３０の両側の軸端部は、それぞれ、引張コイルバネ３２によって上方に常に引っ張られている。図２においては、支持フレーム１０の側の引張コイルバネ３２のみを示す。
【００３１】
プリンター本体ユニット２のプリンター機構部５は、図２に示すように、プリンター幅方向に延びるプラテンローラー３３を備えている。プラテンローラー３３には、プリンター前側からインパクトドット式の印刷ヘッド３４が対峙している。印刷ヘッド３４は不図示のヘッドキャリッジに搭載されている。印刷ヘッド３４はヘッドキャリッジに搭載された状態でプリンター幅方向に架け渡されているキャリッジガイド軸３６に沿って移動可能である。
【００３２】
ここで、ロール紙ユニット３にセットされたロール紙１１からは記録紙１１ａが引き出される。より詳細には、記録紙１１ａは、ロール紙１１の下側の部位から、プリンター前方に向けて斜め上方に引き出される。引き出された記録紙１１ａは、ガイド軸３０に架け渡された後に、プリンター前方に向けて斜め下方に引き出され、プリンター本体ユニット２に送り込まれる。ガイド軸３０は、引張コイルバネ３２によって上方に引っぱられているので、記録紙１１ａは、弛みの無い所定の張力状態で、プリンター本体ユニット２に送り込まれる。
【００３３】
そして、ロール紙ユニット３の側から供給される記録紙１１ａは、用紙ガイド板３８によってプラテンローラー３３に導かれる。プラテンローラー３３の上側には排紙ローラー３５が配置されている。プラテンローラー３３の下側には一対の搬送ローラー３９ａ、３９ｂが配置されている。搬送ローラー３９ａ、３９ｂとプラテンローラー３３の間に挟み込まれた記録紙１１ａは、これらの回転によって印刷ヘッド３４の印刷位置Ａを経由するように搬送される。また、印刷位置Ａを経由した後の記録紙１１ａは、プラテンローラー３３と排紙ローラー３５の間に挟みこまれて搬送される。プラテンローラー３３、排紙ローラー３５、搬送ローラー３９ａ、３９ｂおよびプラテンローラー３３を駆動する搬送モーター（不図示）によって記録紙１１ａの搬送機構３７が構成されている。図２では、印刷位置Ａを経由して搬送される記録紙１１ａの搬送経路Ｂを一点鎖線によって示してある。
【００３４】
搬送経路Ｂに沿って搬送される記録紙１１ａは、印刷位置Ａにおいて、印刷ヘッド３４により印刷が施される。プラテンローラー２１と排紙ローラー３５の間を経由した後の記録紙１１ａは、プリンターカバー７と、ユニットカバー１３の間に形成されている排紙口４０を通って、ユニットカバー１３の上面に排出される。ユニットカバー１３の上面は排紙ガイド面として機能する。ここで、ユニットカバー１３の後端縁部１３ａには、排紙ガイド枠４１が回転自在の状態で取り付けられている。ユニットカバー１３によって送り出された記録紙１１ａは、排紙ガイド枠４１によってロール紙１１の上方にガイドされる。
【００３５】
（作用効果）
本例によれば、一対の支持フレーム９、１０のそれぞれに形成された左側案内溝２３と右側案内溝２６の形状が互いに相違している。従って、振動によってロール紙１１（ロール紙支軸１４）がその径方向の一方向に動いたときに、ロール紙支軸１４の右側の被支持部１４ｃおよび左側の被支持部１４ｃのいずれかと、当該端部分を支持する９、１０の左側案内溝２３の内側壁或いは右側案内溝２６の内側壁が干渉する。この結果、振動によってロール紙支軸１４が軸挿入口２２、２５の側に向かって移動することが阻止されるので、ロール紙１１がロール紙ユニット３から外れてしまうことが抑制或いは防止される。
【００３６】
また、本例によれば、左側案内溝２３および右側案内溝２６のそれぞれが、軸挿入口２２、２５から各軸受部２１、２４に至る途中で曲がっている。さらに、左側案内溝２３および右側案内溝２６のプリンター幅方向から見た溝幅が、軸挿入口２２、２５から各軸受部２１、２４に接近するのに伴って狭くなっている。従って、振動によってロール紙１１（ロール紙支軸１４）がその径方向の一方向に動いたときに、ロール紙支軸１４の右側の被支持部１４ｃおよび左側の被支持部１４ｃのいずれかと、当該端部分を支持する支持フレーム９、１０の左側案内溝２３の内側壁或いは右側案内溝２６の内側壁を干渉させることが容易であり、ロール紙支軸１４の移動を阻止できる。よって、ロール紙プリンター１を振動の発生しやすい環境で用いた場合でも、印刷を継続することができる。
【００３７】
また、本例では、左側案内溝２３において左側軸挿入口２２に隣接する左側第１溝部分２３ａと、右側案内溝２６において右側軸挿入口２５に隣接する右側第１溝部分２６ａとは、プリンター幅方向から見たときに互いに形状と形成位置が一致しているので、ロール紙１１をロール紙ユニット３にセットする際に、ロール紙支軸１４の両側の被支持部１４ｃを各支持フレーム９、１０の軸挿入口２２、２５に挿入することが容易であり、軸挿入口２２、２５に挿入したロール紙支軸１４の両側の被支持部１４ｃが、容易に左側案内溝２３および右側案内溝２６の側に移動する。
【００３８】
さらに、本例では、左側案内溝２３および右側案内溝２６のそれぞれが、全体として下方に向かって斜め前方に延びているので、各支持フレーム９、１０の軸挿入口２２、２５にロール紙支軸１４の両側の被支持部１４ｃを挿入すると、ロール紙１１の自重によってロール紙支軸１４の両側の被支持部１４ｃが各案内溝２３、２６に沿って移動して、軸受部２１、２４に支持された状態となる。従って、ロール紙１１をロール紙ユニット３にセットするセット作業が容易である。
【００３９】
（その他の実施の形態）
上記の実施例では、左側軸挿入口２２と右側軸挿入口２５は、プリンター幅方向から見たときに形状および形成位置が一致しているが、これらが相違していてもよい。また、左側軸挿入口２２と右側軸挿入口２５は上方に向かって開口しているが、後側に向かって斜め上方に開口するよう形成してもよい。さらに、左側案内溝２３および右側案内溝２６は、それぞれが軸挿入口２２、２５から軸受部２１、２４に至る途中で折れ曲がっているが、これらの双方、或いは、一方を直線状に形成してもよい。また、各案内溝２３、２６の溝幅を一定としてもよい。さらに、各案内溝２３、２６が湾曲する部分を備えていてもよい。
【００４０】
図４は軸挿入口および案内溝を変更した変形例のロール紙ユニットの支持フレーム９、１０をプリンター幅方向の右側から見た側面図である。図４（ａ）は左側支持フレーム９をプリンター幅方向の右側から見た側面図であり、図４（ｂ）は右側支持フレーム１０をプリンター幅方向の右側から見た側面図であり、図４（ｃ）は左側支持フレーム９および右側支持フレーム１０をプリンター幅方向の右側から重ねて見た側面図である。
【００４１】
図４に示すように、変形例のロール紙ユニットは、各支持フレーム９、１０に設けられる左側軸挿入口２２´と右側軸挿入口２５´の形成位置がプリンター前後方向にずれている。また、左側軸挿入口２２´と左側軸受部２１を連通させている左側案内溝（直線溝部分）２３´は、下方に向かってプリンター後方に傾斜する直線状に形成されており、右側軸挿入口２５´と右側軸受部２４を連通させている右側案内溝（直線溝部分）２６´は、下方に向かってプリンター前方に傾斜する直線状に形成されている。各案内溝２３´、２６´は、プリンター前後方向の溝幅が軸挿入口２２´、２５´から軸受部２１、２４に接近するのに伴って狭くなっている。
【００４２】
このような構成を備える場合でも、ロール紙プリンターにセットされたロール紙１１のロール紙支軸１４が振動によって軸挿入口２２´、２５´の側に向かって移動することを阻止できる。従って、ロール紙１１がロール紙ユニット３から外れてしまうことを抑制或いは防止できる。すなわち、振動によってロール紙１１（ロール紙支軸１４）がその径方向の一方向に動いたときに、ロール紙支軸１４の右側の被支持部１４ｃおよび左側の被支持部１４ｃのいずれかと、当該端部分を支持する９、１０の左側案内溝２３´の内側壁或いは右側案内溝２６´の内側壁とを干渉させることができる。また、各支持フレーム９、１０の軸挿入口２２´、２５´にロール紙支軸１４の両側の被支持部１４ｃを挿入すると、ロール紙１１の自重によってロール紙支軸１４の両側の被支持部１４ｃが各案内溝２３´、２６´に沿って移動して、軸受部２１、２４に支持された状態となる。従って、ロール紙１１をロール紙ユニット３にセットするセット作業が容易である。
【符号の説明】
【００４３】
１・・ロール紙プリンター、２・・プリンター本体ユニット、３・・ロール紙ユニット、４・・プリンター筐体、５・・プリンター機構部、６・・開口部、７・・プリンターカバー、７ａ・・プリンターカバーの後端側の部位、８・・ユニットフレーム、９・・左側支持フレーム、１０・・右側支持フレーム、１１・・ロール紙、１１ａ・・記録紙、１２・・ロール紙収納部、１２ａ・・開口部分、１３・・ユニットカバー、１３ａ・・後端縁部、１３ｂ・・前端縁部、１４・・ロール紙支軸、１４ａ・・装着部、１４ｂ・・端部分、１４ｃ・・被支持部、１４ｄ・・軸端部、２１・・左側軸受部、２２・・左側軸挿入口、２３・２３´・・左側案内溝、２３ａ・・左側第１溝部分、２３ｂ・・左側第２溝部分、２３ｃ・・左側第３溝部分、２４・・右側軸受部、２５・・右側軸挿入口、２６・２６´・・右側案内溝、２６ａ・・右側第１溝部分、２６ｂ・・右側第２溝部分、３０・・ガイド軸、３１・・軸孔、３２・・引張コイルバネ、３３・・プラテンローラー、３４・・印刷ヘッド、３５・・排紙ローラー、３６・・キャリッジガイド軸、３７・・搬送機構、３８・・用紙ガイド板、３９ａ・３９ｂ・・搬送ローラー、４０・・排紙口、４１・・排紙ガイド枠、Ａ・・印刷位置、Ｂ・・搬送経路
【図１】
2014043033.tif 000003
【図２】
2014043033.tif 000004
【図３】
2014043033.tif 000005
【図４】
2014043033.tif 000006